(57)【要約】【課題】使用者により選択されたチャネルへの切替えを迅速に行なうためのディジタルテレビジョンのチャネル制御装置及びその方法を提供する。【解決手段】使用者により選択されたチャネルの映像、音声及び付加情報のパケット識別子（PID）を抽出するトランスポートパケットパーザ（TPパーザ）23と、この抽出されたPIDをメモリ31に格納した後、その格納されたPIDをTPパーザ23に設定するマイクロコンピュータ30と、上記の設定されたPIDを利用して映像及び音声信号が入力されてそれをデコーディングするデコーダ26，24とを備える。使用者の所望のチャネルが選択されたとき、そのチャネルに該当する映像及び音声信号のPIDがメモリ31に格納されていると判断された場合は、このPIDをTPパーザ23に設定し、そのPIDを利用して使用者により選択されたチャネルに該当する映像及び音声信号をデコーディングする。【選択図】図１
2006295974.tif 000002
【特許請求の範囲】
【請求項１】
ディジタルテレビジョンのチャネルを制御して使用者の所望の映像及び音声を出力する装置において、
使用者により選択されたチャネルの映像、音声及び付加情報のパケット識別子を抽出するトランスポートパケットパーザと、
前記抽出されたパケット識別子をメモリに格納した後、前記格納されたパケット識別子を前記トランスポートパケットパーザに設定するマイクロコンピュータと、
前記設定されたパケット識別子を利用して映像及び音声信号が入力されてデコーディングするデコーダと、を備えて構成されることを特徴とするディジタルテレビジョンのチャネル制御装置。
【請求項２】
前記トランスポートパケットパーザは、受信アンテナから映像、音声及び付加情報のパケット識別子を抽出するか、又は前記メモリから前記映像、音声及び付加情報のパケット識別子が入力されて設定されることを特徴とする請求項1に記載のディジタルテレビジョンのチャネル制御装置。
【請求項３】
前記マイクロコンピュータは、前記パケット識別子がメモリに格納されているかどうかを判断して、前記メモリに前記パケット識別子が格納されている場合は、前記パケット識別子を前記トランスポートパケットパーザに設定し、該設定されたパケット識別子を利用して前記デコーダから出力されるデコーディングされた映像及び音声信号のフィードバックにより、前記デコーディングされた映像及び音声信号が正常にデコーディングされたかどうかを判断することを特徴とする請求項1に記載のディジタルテレビジョンのチャネル制御装置。
【請求項４】
前記ビデオ及びオーディオデコーダは、前記トランスポートパケットパーザから抽出された映像、音声及び付加情報のパケット識別子を利用して映像及び音声信号が入力されるか、又はトランスポートパケットパーザに設定されたパケット識別子を利用して前記映像及び音声信号が入力されてそれらをデコーディングすることを特徴とする請求項1に記載のディジタルテレビジョンのチャネル制御装置。
【請求項５】
ディジタルテレビジョンのチャネルを制御して使用者の所望の映像及び音声を出力する装置において、
受信アンテナから映像、音声及び付加情報のパケット識別子を抽出するか、又はメモリから前記映像、音声及び付加情報のパケット識別子が入力されて設定されるトランスポートパケットパーザと、
前記パケット識別子が前記メモリに格納されているかどうかを判断して、前記メモリに前記パケット識別子が格納されている場合、前記パケット識別子を前記トランスポートパケットパーザに設定するマイクロコンピュータと、
前記設定されたパケット識別子を利用して映像及び音声信号が入力されてそれらをデコーディングするビデオ及びオーディオデコーダと、を備えて構成されることを特徴とするディジタルテレビジョンのチャネル制御装置。
【請求項６】
前記マイクロコンピュータは、前記設定されたパケット識別子を利用して前記デコーダから出力されるデコーディングされた映像及び音声信号がフィードバックされ、前記デコーディングされた映像及び音声信号が正常にデコーディングされたかどうかを判断することを特徴とする請求項5に記載のディジタルテレビジョンのチャネル制御装置。
【請求項７】
前記ビデオ及びオーディオデコーダは、前記トランスポートパケットパーザから抽出された映像、音声及び付加情報のパケット識別子を利用して映像及び音声信号が入力されるか、又は前記トランスポートパケットパーザに設定されたパケット識別子を利用して前記映像及び音声信号が入力されてデコーディングすることを特徴とする請求項5に記載のディジタルテレビジョンのチャネル制御装置。
【請求項８】
ディジタルテレビジョンのチャネルを制御して使用者の所望の映像及び音声を出力する方法において、
使用者の所望のチャネルが選択されると、該選択されたチャネルに該当する映像及び音声信号のパケット識別子がメモリに格納されているかどうかを判断する段階と、
前記映像及び音声信号のパケット識別子が前記メモリに格納された場合、前記格納された映像及び音声信号のパケット識別子をトランスポートパケットパーザに設定する段階と、
前記設定された映像及び音声信号のパケット識別子を利用して前記使用者により選択されたチャネルに該当する映像及び音声信号が入力され、それをデコーディングする段階と、を順次行うことを特徴とするディジタルテレビジョンのチャネル制御方法。
【請求項９】
前記判断段階で、使用者の所望のチャネルが選択されたとき、映像及び音声信号を一時停止させる段階と、
前記映像及び音声信号が一時停止された後、前記使用者により選択されたチャネルに該当する映像及び音声信号のパケット識別子がメモリに格納されているかどうかを判断する段階と、
を更に包含して行うことを特徴とする請求項8に記載のディジタルテレビジョンのチャネル制御方法。
【請求項１０】
前記設定段階で、前記映像及び音声信号のパケット識別子がメモリに格納されていない場合、前記トランスポートパケットパーザでプログラム関連テーブル（PAT）、プログラムマップテーブル(PMT)及びTVCTの何れか一つをパーシングした後、前記映像及び音声信号のパケット識別子を抽出して格納する段階を更に包含して行うことを特徴とする請求項8に記載のディジタルテレビジョンのチャネル制御方法。
【発明の詳細な説明】
【技術分野】
【０００１】
本発明は、テレビジョンのチャネルの切替えをする際の所要時間を短縮し得る装置及びその方法に係るもので、詳しくは、チャネルの音声信号及び映像信号のパケット識別子（Packet  Identifier；PID）をメモリに格納した後、使用者のチャネル切替え要求に従って上記の格納されたパケット識別子を抽出して、使用者が選択したチャネルに該当する映像及び音声信号を出力可能にするディジタルテレビジョンのチャネル制御装置及びその方法に関するものである。
【背景技術】
【０００２】
図3は、従来のディジタルテレビジョンのチャネル制御装置を示したブロック図で、これを参照して動作を説明すると次のようである。
先ず、チューナ2は、アンテナ1から受信される残留側波帯(Vestuginal  Sideband；VSB）又は横軸振幅変調（Quadrature  Amplitude  Modulation；QAM）信号を受信してこれを検波した後、誤りを補正してトランスポートストリーム（Transport  Stream）形態に変換してこれをトランスポートパケットパーザ（Transport  Packet  Parser；TPパーザ）3に出力し、トランスポートパケットパーザ3は、上記トランスポートストリームが入力されて逆多重化（Demultiplexing）された映像信号、音声信号及び付加情報を出力する。
【０００３】
ここで、逆多重化とは、パケット識別子を検出して映像信号列、音声信号列及び付加情報信号列にそれぞれ区分することを言い、このパケット識別子は、時間的に多重化された信号を逆多重化し得る手段を提供する。即ち、上記のパケット識別子を検出することで、映像信号パケット、音声信号パケット及び付加情報(SI)パケットを識別することができる。
【０００４】
その後、オーディオデコーダ4は上記の逆多重化された音声信号が入力されてそれをデコーディング信号に変換し、ディジタル/アナログ（D/A）コンバータ5に出力すると、D/Aコンバータ5は、上記のデコーディングされた音声信号をアナログ音声信号に変換してスピーカに出力する。
ビデオデコーダ6は、上記の逆多重化された映像信号が入力されてそれをデコーディング信号に変換し、スイッチング部7に出力する。
【０００５】
その後、ユーザインタフェース部9から使用者により選択されたチャネルに該当する動作信号をマイクロコンピュータ10に出力すると、マイクロコンピュータ10は、上記の動作信号が入力されて使用者により選択されたチャネルの放送信号が選局されるように、制御信号を出力する。マイクロコンピュータ10は、トランスポートパケットパーザ3から入力された付加情報を処理して、メモリ11に出力し、メモリ11は、上記の制御信号によってその付加情報を格納する。
【０００６】
そして、オンスクリーンディスプレー（On  Screen  Display；以下、OSDと略称する）12は、メモリ11から前記の動作信号に対応するオンスクリーンディスプレー情報を抽出して、オンスクリーンディスプレー映像信号を出力する。
スイッチング部7には、ビデオデコーダ6でデコーディングされた映像信号及び上記のオンスクリーンディスプレーからの映像信号が入力され、前記の制御信号により信号切替えを行って、前記デコーディングされた映像信号及び前記オンスクリーンディスプレーの映像信号を選択的に出力する。
【０００７】
又、NTSC エンコーダ（National  Television  System  Committe  Encoder）8は、映像信号を画面（CRT）上に表示するために、前記スイッチング部7から選択的に出力された信号が入力されて輝度信号及び色信号を出力する。
図4は、従来のディジタルテレビジョンのチャネル制御方法を示したフローチャートで、同図を参照してディジタルテレビジョンのチャネル制御方法を説明すると次のようである。
【０００８】
先ず、使用者がチャネル選択キーを利用して所望のチャネルを選択したことを判断する(S1)。
上記判断の結果、使用者により所望のチャネルが選択された場合、音声信号及び映像信号を一時停止させる(S2)。
その後、使用者の所望のチャネルに切替えるため、チューナに位相同期（Phase-Locked  Loop）データ値（PLL値）を設定する(S3)。
【０００９】
その後、プログラム関連テーブル（Program  Association  Table；以下、PATと略称する）/プログラムマップテーブル（Program  Map  Table；以下、PMTと略称する）をパーシング（Parsing）するか、又はチャネル情報が格納されたTVCT（Terrestrial  Virtual  Channel  Table；以下、TVCTと略称する）をパーシングした後、使用者の所望のチャネルの音声信号及び映像信号のパケット識別子を抽出してトランスポートパケットパーザにその選択されたパケット識別子を設定する(S4)。
【００１０】
その後、デコーダで前記パケット識別子を利用して映像信号及び音声信号をデコーディングして、前記一時停止された音声信号及び映像信号を解除させる(S5)。
【発明の開示】
【発明が解決しようとする課題】
【００１１】
然るに、このような従来のディジタルテレビジョンのチャネル制御装置及びその方法においては、使用者の所望のチャネルに切り替えるとき、PATとPMT、又はTVCTをパーシングするため、チャネルの切替えに要する時間が長くなるという不都合な点があった。
【００１２】
例えば、現在のチャネルから他のチャネルに切替える際、前記のパーシングに要する時間が長くなるため、使用者が現在の視聴画面から他の画面に切替える時間が長くなる。
そこで、本発明は、このような従来の課題に鑑みてなされたもので、使用者の所望のチャネルに迅速に切替えるために、PAT、PMT及びTVCTの何れか一つを選択してパーシングし得るようにするディジタルテレビジョンのチャネル制御装置及びその方法を提供することにその目的がある。
【課題を解決するための手段】
【００１３】
このような目的を達成するため、本発明に係るディジタルテレビジョンのチャネル制御装置においては、使用者により選択されたチャネルの映像、音声及び付加情報のパケット識別子を抽出するトランスポートパケットパーザと、
上記の抽出されたパケット識別子をメモリに格納した後、その格納されたパケット識別子を上記のトランスポートパケットパーザに設定するマイクロコンピュータと、
上記の設定されたパケット識別子を利用して映像及び音声信号が入力されてそれをデコーディングするデコーダと、を備えて構成されることを特徴とする。
【００１４】
本発明に係るディジタルテレビジョンのチャネル制御方法においては、使用者の所望のチャネルが選択されると、この使用者の所望のチャネルに該当する映像及び音声信号のパケット識別子がメモリに格納されているかどうかを判断する段階と、
上記の映像及び音声信号のパケット識別子がメモリに格納されている場合、この格納された映像及び音声信号のパケット識別子をトランスポートパケットパーザに設定する段階と、
上記の設定された映像信号及び音声信号のパケット識別子を利用して使用者により選択されたチャネルに該当する映像及び音声信号をデコーダに入力して、それらをデコーディングする段階と、を順次行うことを特徴とする。
【発明の効果】
【００１５】
以下に説明するように、本発明に係るディジタルテレビジョンのチャネル制御装置及びその方法においては、使用者の所望のチャネルに該当する音声信号及び映像信号のパケット識別子をメモリに格納した後、該格納された音声信号及び映像信号のパケット識別子を利用して音声信号及び映像信号を出力するため、チャンネルの切替えに要する時間を短縮し得るという効果がある。
【００１６】
例えば、使用者が現在の視聴画面から他の画面を視聴しようとして、チャネルを切替える場合、パーシングした後、音声信号及び映像信号のパケット識別子を抽出する過程を選択的に行う。即ち、メモリに格納された音声信号及び映像信号のパケット識別子を利用して音声及び映像信号を出力するため、使用者が現在の視聴画面から他の画面へのチャネル切替えに要する時間が短縮される。
【００１７】
即ち、チャネル切替えの所要時間が短縮されて、使用者の所望のチャネルを迅速に選択又は検索し得るという効果がある。
【発明を実施するための最良の形態】
【００１８】
以下、本発明の実施の形態について図面を用いて説明する。
本発明に係るディジタルテレビジョンのチャネル制御装置においては、図1に示したように、アンテナ21から受信される残留側波帯(VSB）又は横軸振幅変調（QAM）信号を受信してトランスポートストリーム状に変換して出力するチューナ22と、
上記のトランスポートストリームが入力されて逆多重化された映像信号、音声信号及び付加情報を出力し、それらに該当するパケット識別子を抽出して出力するトランスポートパケットパーザ（TPパーザ）23と、
上記の抽出された音声信号のパケット識別子を利用して音声信号が印加されそれをデコーディングするオーディオデコーダ24と、
上記のデコーディング信号をアナログ信号に変換するディジタル/アナログ（D/A）コンバータ25と、
前記抽出された映像信号のパケット識別子を利用して映像信号が印加されそれをデコーディングするビデオデコーダ26と、
使用者により選択されたチャネルに該当する動作信号を出力するユーザインタフェース29と、
前記の抽出された音声信号/映像信号パケット識別子を格納するメモリ31と、
前記の動作信号が入力されて使用者により選択されたチャネルの放送信号が選局されるように、チューナ22を制御するための制御信号を出力し、使用者により選択されたチャネルに該当する音声信号及び映像信号のパケット識別子が上記のメモリに格納されたかどうかを判断するマイクロコンピュータ30と、
前記の抽出された付加情報のパケット識別子が入力されてオンスクリーンディスプレー映像信号を出力するオンスクリーンディスプレー（OSD）処理部32と、
前記の制御信号によって、前記のデコーディングされた映像信号及び前記のオンスクリーンディスプレー映像信号を選択的に出力するスイッチング部27と、
映像信号を画面(CRT)に表示するために、上記スイッチング部27から出力された信号が入力されて輝度信号及び色信号を出力するNTSCエンコーダ28と、を備えて構成されている。
【００１９】
以下、このように構成された本発明に係るディジタルテレビジョンのチャネル制御装置の動作に対し説明する。
先ず、チューナ22は、アンテナ21から受信された残留側波帯又は横軸振幅変調信号を受信してトランスポートストリーム状に変換して出力する。
ここで、上記のトランスポートストリームとは、パケット単位に映像、音声、データ及び放送情報が時間的に多重化されたディジタル信号をいい、このようなトランスポートの詳細は、国際規格ISO/IEC13818に開示されている。
【００２０】
そして、トランスポートパケットパーザ23は、上記のトランスポートストリームが入力されて逆多重化された映像信号、音声信号及び付加情報を出力し、それに該当するパケット識別子を抽出する。このとき、この抽出された音声信号及び映像信号のパケット識別子はメモリ31に格納される。
オーディオデコーダ24は、上記の抽出された音声信号のパケット識別子を利用して音声信号が印加され、それをデコーディングしてディジタル/アナログ（D/A）コンバータ25に出力し、該D/Aコンバータ25では、上記の入力されたデコーディング信号をアナログ信号に変換してスピーカに出力する。
【００２１】
また、ビデオディコーダ26は、前記の抽出された映像信号のパケット識別子を利用して映像信号が印加され、それをデコーディングする。
又、ユーザインタフェース部29は、使用者により選択されたチャネルに該当する動作信号をマイクロコンピュータ30に出力し、該マイクロコンピュータ30は、上記の動作信号が入力された後、使用者により選択されたチャネルの放送信号が選局されるように、チューナ22を制御するための制御信号を出力する。
【００２２】
更に、使用者により選択されたチャネルに該当する音声信号及び映像信号のパケット識別子がメモリ31に格納されているかどうかを判断する。
上記判断の結果、前記の抽出された音声信号及び映像信号のパケット識別子がメモリ31に格納されている場合、マイクロコンピュータ30は、トランスポートパケットパーザ23に上記の格納された音声信号及び映像信号のパケット識別子を設定する。
【００２３】
このとき、オーディオデコーダ24は、前記の設定された音声信号パケット識別子を利用して音声信号が入力されてそれをデコーディングした後、マイクロコンピュータ30にフィードバックする。
ビデオディコーダ26は、前記の設定された映像信号パケット識別子を利用して映像信号が入力され、それをデコーディングした後、マイクロコンピュータ30にフィードバックする。
【００２４】
その後、マイクロコンピュータ30は、前記のフィードバックされたデコーディング信号が正常にデコーディングされたかどうかを判断する。この判断の結果、前記のデコーディングされフィードバックされた信号が正常にデコーディングされていない場合、マイクロコンピュータ30は、前記の音声信号及び映像信号のパケット識別子を再び抽出するようトランスポートパケットパーザ23を制御する。
【００２５】
その後、スイッチング部27は、ビデオディコーダ26でデコーディングされた映像信号及び前記のオンスクリーンディスプレイー映像信号が入力されて、マイクロコンピュータ30の制御信号により前記のデコーディングされた映像信号及び前記のオンスクリーンディスプレー映像信号を選択的に出力するように切替え動作を行う。
【００２６】
エンコーダ28は、映像信号を画面(CRT)に表示するために、スイッチング部27から選択的に出力された信号が入力されて輝度信号及び色信号を出力する。
以下、本発明に係るディジタルテレビジョンのチャネル制御方法に対し、図2を用いて説明する。
先ず、使用者がチャネル選択キーを利用して所望のチャネルを選択したことを判断する(S11)。
【００２７】
この判断の結果、使用者の所望のチャネルが選択された場合、音声信号及び映像信号を一時停止させる(S12)。
その後、使用者の所望のチャネルに切替えるべく、チューナに位相同期データ値（PLL値）を設定する(S13)。
その後、上記のチューナを経て切替えられたチャネルの映像信号及び音声信号のパケット識別子（PID）がメモリに格納されているかどうかを判断する(S14)。
【００２８】
この判断の結果、上記の切替えられたチャネルの映像信号及び音声信号のパケット識別子が上記のメモリに格納されている場合、トランスポートパケットパーザ（TPパーザ）23に上記の映像信号及び音声信号のパケット識別子を設定する(S15)。
そして、この設定された映像信号及び音声信号のパケット識別子を利用して映像及び音声信号をデコーディングした後、このデコーディングが終了したかどうかを判断する(S16)。
【００２９】
一方、上記の判断の結果(S14)、前記の切替えられたチャネルの映像信号及び音声信号のパケット識別子が前記のメモリに格納されていない場合、前記のトランスポートパケットパーザを制御して、上記の切替えられたチャネルに該当するプログラム関連テーブル（PAT）、プログラムマップテーブル（PMT）及びTVCTの何れかを選択してパーシング（Parsing）する（S17）。
【００３０】
その後、このパーシングした映像信号及び音声信号のパケット識別子を上記のトランスポートパケットパーザ23に設定した後、メモリに格納する(S18)。
一方、上記の判断の結果(S16)、前記のデコーディングが終了していない場合、前記のトランスポートパケットパーザ23を制御して前記の切替えられたチャネルに該当するプログラム関連テーブル（PAT）、プログラムマップテーブル(PMT)及びTVCTの何れかを選択してパーシングした後、メモリに格納する過程を繰り返して行う（S17），(S18)。
【００３１】
前記の判断の結果(S16)、デコーディングが終了した場合、前記の一時停止された音声信号及び映像信号を解除させる(S19)。
【図面の簡単な説明】
【００３２】
【図１】本発明に係るディジタルテレビジョンのチャネル制御装置のブロック図を示す図である。
【図２】本発明に係るディジタルテレビジョンのチャネル制御方法のフローチャートを示す図である。
【図３】従来のディジタルテレビジョンのチャネル制御装置のブロック図を示す図である。
【図４】従来のディジタルテレビジョンのチャネル制御方法のフローチャートを示す図である。
【符号の説明】
【００３３】
２１    アンテナ
２２    チューナ
２３    トランスポートパケットパーザ
２４    オーディオデコーダ
２５    D/Aコンバータ
２６    ビデオデコーダ
２７    スイッチング部
２８    NTSCエンコーダ
２９    ユーザインタフェース
３０    マイクロコンピュータ
３１    メモリ
３２    OSD処理部
【図１】
2006295974.tif 000003
【図２】
2006295974.tif 000004
【図３】
2006295974.tif 000005
【図４】
2006295974.tif 000006